(57)【要約】【課題】沈胴式で光学素子退避機構を備えたレンズ鏡筒の一部を構成するレンズ鏡枠において通常の機能や性能を確実に確保しながらさらなる小型化に寄与し得る構造を備えたレンズ鏡枠を提供する。【解決手段】光学素子２３と、光学素子の有効径に対応した開口２５ａを有する板部材からなる絞り部材２５と、光学素子の外周を囲む開口８ｆを有する枠状の部材であって開口周囲の一部に開口内への張り出し部８ｇが設けられ張り出し部に絞り部材の開口縁部が光軸Ｏ方向から載置されることで絞り部材を光軸方向に支持し光学素子を張り出し部で支えられた絞り部材の開口縁部と張り出し部のない絞り部材の開口縁部にて胴付きとするレンズ保持枠８とを具備する。【選択図】図６
2010217747.tif 000002
【特許請求の範囲】
【請求項１】
光学素子と、
上記光学素子の有効径に対応した開口を有する板部材からなる絞り部材と、
上記光学素子の外周を囲む開口を有する枠状の部材であって、該開口周囲の一部に開口内への張り出し部が設けられ、該張り出し部に上記絞り部材の開口縁部が光軸方向から載置されることで該絞り部材を光軸方向に支持し、上記光学素子を該張り出し部で支えられた上記絞り部材の開口縁部と、該張り出し部のない該絞り部材の開口縁部にて胴付きとするレンズ保持枠と、
を具備することを特徴とするレンズ鏡枠。
【請求項２】
上記レンズ保持枠は、上記光学素子の光軸方向に移動可能に構成されていることを特徴とする請求項１に記載のレンズ鏡枠。
【請求項３】
上記レンズ鏡枠は、ズームレンズを保持し、かつ非使用時における短縮状態と使用における伸張状態との間で伸縮可能であり、該短縮状態においては上記レンズ保持枠の上記張り出し部のない絞り部材開口縁部に、他の腕部材が隣接して配置されていることを特徴とする請求項１に記載のレンズ鏡枠。
【発明の詳細な説明】
【技術分野】
【０００１】
この発明は、レンズ鏡枠、詳しくはカメラ若しくはこのカメラに用いられるレンズ鏡筒の小型化及び薄型化に寄与し得る構造を備えたレンズ鏡枠に関するものである。
【背景技術】
【０００２】
従来、複数の光学素子（光学レンズ）からなる撮影光学系を透過して結像される光学像を撮像素子等の光電変換素子により光電変換処理することで所望の被写体の光学像を電気的な画像信号として取得し、この画像信号及びこの画像信号に関する関連情報をデジタルデータ化した画像データを生成し、この画像データを記憶媒体に記憶し得るように構成されたデジタルカメラ等の撮像装置（以下、単にカメラという）が広く一般に普及している。
【０００３】
このような形態のカメラにおいては、使用者が所望のときにすぐに使用することができるようにするために、携帯性を考慮して小型化及び薄型化が常に要望されている。
【０００４】
そこで、例えば撮影光学系を構成するレンズ鏡筒を必要に応じて伸縮し得るような構成とし、カメラの使用時には、該レンズ鏡筒をカメラの前面に向けて突出させた状態とする一方、カメラの非使用時には、該レンズ鏡筒を短縮させてカメラ本体の内部に収納するように構成したいわゆる沈胴式のレンズ鏡筒を備えたカメラが種々提案され、また実用化されている。
【０００５】
さらに、このような形態の沈胴式のレンズ鏡筒を備えたカメラにおいては、カメラ若しくはレンズ鏡筒自体のさらなる小型化及び薄型化を実現するための構造として、撮影光学系を構成する複数の光学素子のうちの一部の光学素子を光軸より退避させるようにした光学素子退避機構を備えたレンズ鏡筒や、このレンズ鏡筒を備えたカメラについての提案が、例えば特開２００４−２３３９２２号公報等によって種々なされており、また実用化されている。
【０００６】
上記特開２００４−２３３９２２号公報等によって開示される光学素子退避機構は、撮影光学系を構成する複数の光学素子のうちの一部の光学素子を保持するレンズ鏡枠を該撮影光学系の光軸に対して直交する方向に退避させる機構を有して構成される。そして、この一部の光学素子を光軸上から退避させた状態で、レンズ鏡筒の沈胴動作を行うことで、該レンズ鏡筒の短縮時（沈胴時）の光軸方向における長さ寸法を、より短縮化させるというものである。
【先行技術文献】
【特許文献】
【０００７】
【特許文献１】特開２００４−２３３９２２号公報
【発明の概要】
【発明が解決しようとする課題】
【０００８】
ところが、上記特開２００４−２３３９２２号公報等によって開示される光学素子退避機構を適用したカメラにおいて、さらなるカメラの小型化及び薄型化を推進させようとすると、例えばカメラ本体やレンズ鏡筒の部品形状を工夫して、光学素子を退避させるための退避空間を確保する必要が生じる。
【０００９】
そのためには、例えばレンズ鏡筒内の他の構成部材の一部を切り欠く等の工夫によって、該退避空間を確保することが考えられる。しかしながら、この場合には、例えば退避用光学素子を保持するための固定部を充分に確保することができなくなってしまうという問題点がある。また、レンズ鏡筒内の構成部材を切り欠くことで、退避用光学素子を保持するレンズ鏡枠の退避空間を確保しようとした場合、その切り欠き部分等からレンズ鏡筒内に不要な光束が入射する可能性がある。すると、この場合には、レンズ鏡筒内に入射した不要光束に起因してフレアやゴースト等が発生してしまう可能性も考えられる。
【００１０】
本発明は、上述した点に鑑みてなされたものであって、その目的とするところは、カメラ等に適用されるレンズ鏡筒であって、沈胴式でかつ光学素子退避機構を備えたレンズ鏡筒の一部を構成するレンズ鏡枠において、通常の写真撮影用カメラのレンズ鏡筒が必要とする機能や性能を確実に確保しながら、さらなる小型化及び薄型化に寄与することのできる構造を備えたレンズ鏡枠を提供することである。
【課題を解決するための手段】
【００１１】
上記目的を達成するために、本発明によるレンズ鏡枠は、光学素子と、上記光学素子の有効径に対応した開口を有する板部材からなる絞り部材と、上記光学素子の外周を囲む開口を有する枠状の部材であって、該開口周囲の一部に開口内への張り出し部が設けられ、該張り出し部に上記絞り部材の開口縁部が光軸方向から載置されることで該絞り部材を光軸方向に支持し、上記光学素子を該張り出し部で支えられた上記絞り部材の開口縁部と、該張り出し部のない該絞り部材の開口縁部にて胴付きとするレンズ保持枠と、を具備することを特徴とする。
【発明の効果】
【００１２】
本発明によれば、カメラ等に適用されるレンズ鏡筒であって、沈胴式でかつ光学素子退避機構を備えたレンズ鏡筒の一部を構成するレンズ鏡枠において、通常の写真撮影用カメラのレンズ鏡筒が必要とする機能や性能を確実に確保しながら、さらなる小型化及び薄型化に寄与することのできる構造を備えたレンズ鏡枠を提供することができる。
【図面の簡単な説明】
【００１３】
【図１】本発明の一実施形態のレンズ鏡枠が適用されるレンズ鏡筒の沈胴状態を示す断面図。
【図２】図１のレンズ鏡筒の撮影準備状態のうち広角（ワイド）状態を示す断面図。
【図３】図１のレンズ鏡筒の撮影準備状態のうち望遠（テレ）状態を示す断面図。
【図４】図１のレンズ鏡筒の構成部材のうち固定枠，第三群枠，第三群枠支持部を取り出して示す要部分解斜視図。
【図５】図４に示す固定枠のみを取り出して示す要部拡大斜視図。
【図６】図１のレンズ鏡筒の構成部材のうちシャッタユニット，第二群ズーム枠，第三群枠を取り出して示す要部分解斜視図。
【図７】図６に示す第三群枠のみを取り出して示す要部分解斜視図。
【図８】図６に示す第三群枠の正面図。
【図９】図６に示す第三群枠の背面図。
【図１０】図９の［X］−［X］線に沿う断面図。
【図１１】図９の［XI］−［XI］線に沿う断面図。
【図１２】図１のレンズ鏡筒が広角（ワイド）状態にあるときの各レンズ群の光軸方向における位置を示す概念図。
【図１３】図１のレンズ鏡筒が望遠（テレ）状態にあるときの各レンズ群の光軸方向における位置を示す概念図。
【発明を実施するための形態】
【００１４】
以下、図示の実施の形態によって本発明を説明する。
【００１５】
本発明の一実施形態は、写真撮影用のカメラにおけるレンズ鏡筒に本発明のレンズ鏡枠を適用した場合の例示である。
【００１６】
なお、本実施形態においては、レンズ鏡筒における撮影光学系の光軸を符号Ｏで表すものとする。そして、この光軸Ｏに沿う方向において、被写体側を前方というものとし、結像側を後方というものとする。
【００１７】
まず、本発明の一実施形態のレンズ鏡枠が適用されるレンズ鏡筒の概略構成を、主に図１〜図３を用いて以下に説明する。
【００１８】
図１〜図３に示すように、本実施形態のレンズ鏡枠が適用されるレンズ鏡筒１は、複数の光学素子をそれぞれ保持する複数のレンズ保持枠と、これら複数のレンズ保持枠を光軸Ｏに沿う方向に進退自在に駆動する駆動部材等によって構成される。
【００１９】
このレンズ鏡筒１は、各レンズ保持枠を光軸Ｏ方向において前方に向けて移動させ該レンズ鏡筒１が適用されるカメラの前面から前方に突出させた状態とする使用状態（撮影状態；図２，図３に示す状態）と、この使用状態から各レンズ保持枠を光軸Ｏ方向において後方に向けて移動させ該カメラ本体の内部に収納させた状態とする非使用状態（非撮影状態，沈胴状態；図１に示す状態）との間で変位自在に構成されている。つまり、このレンズ鏡筒１は、撮影状態としたときの全長よりも短い非使用状態としたときの全長が短縮された状態となるように構成される沈胴式のレンズ鏡筒である。
【００２０】
また、このレンズ鏡筒１が使用状態にあるときには、各レンズ保持枠のそれぞれが光軸Ｏに沿う方向に移動自在に構成されていて、短焦点位置（広角位置，ワイド位置；図２に示す状態）と長焦点位置（望遠位置，テレ位置；図３に示す状態）との間で変倍動作（ズーミング）を行うように構成されている。
【００２１】
図に示すように、レンズ鏡筒１は、固定枠２と、カム枠３と、フロートキー４と、第一群枠５と、第二群ズーム枠６と、第二群枠７と、第三群枠８と、第四群枠９と、撮像ユニット１０と、固定板１１と、ＣＣＤベース板１２と、レンズバリア１３と、シャッタユニット１４と、フォーカス駆動モータ１６（図１では省略）と、第一群レンズ２１，第二群レンズ２２，第三群レンズ２３，第四群レンズ２４の複数の光学素子（光学レンズ）からなる撮影光学系等によって主に構成されている。
【００２２】
固定枠２は、カメラ本体（図示せず）に固定支持される円筒状の枠部材である。なお、固定枠２の詳細構成は後述する（図４，図５参照）。
【００２３】
カム枠３は、固定枠２の内側に配置され、ズーミング時や沈胴動作時にズーム沈胴用駆動モータ（図示せず）の駆動力によって回転及び進退駆動される円筒状の枠部材である。
【００２４】
フロートキー４は、カム枠３の内側に配置され、回転が規制された状態でカム枠３と共に光軸Ｏに沿う方向に進退する部材である。
【００２５】
第一群枠５は、カム枠３の内側に配置され、カム枠３により光軸Ｏに沿う方向に進退駆動される円筒状の枠部材である。この第一群枠５は、フロートキー４により回転が規制された状態でズーミング時や沈胴駆動時にカム枠３によって光軸Ｏに沿う方向に進退駆動されるようになっている。なお、第一群枠５には、複数の光学素子からなる第一群レンズ２１が保持されている。
【００２６】
第二群ズーム枠６は、ズーミング時や沈胴駆動時にはフロートキー４により回転が規制された状態で光軸Ｏに沿う方向に進退駆動される円筒状の枠部材である。この第二群ズーム枠６には、シャッタユニット１４や第二群枠７が固定支持されている。第二群枠７には、複数の光学素子からなる第二群レンズ２２が保持されている。
【００２７】
ここで、第二群ズーム枠６の構成について簡単に説明する。図６に示すように、第二群ズーム枠６は、前面の一部に開口６ａを有し、後面が開放された短筒状に形成されている。開口６ａは、第二群ズーム枠６の前面の略中央部分の所定範囲の領域を含み、該中央領域から径方向に向けて連続する所定の範囲に穿設されている。この開口６ａは、第二群枠７に保持される第二群レンズ２２が光軸Ｏ上に配置されたときに、該第二群レンズ２２の有効径を露呈し得るだけの領域が確保されている。
【００２８】
第二群ズーム枠６の内部には、第二群枠７と、この第二群枠７を駆動させるための光学素子退避機構が配設されている。この光学素子退避機構は、第二群枠７を所定の方向に移動させることで、第二群枠７に保持される光学素子である第二群レンズ２２を光軸Ｏ上の位置と、光軸Ｏから退避させた位置であって光軸Ｏに対して直交する面内の退避位置との間に所定のタイミングで移動させるための機構である。なお、この光学素子退避機構は、本発明に直接関わりのない部分であるので、従来のレンズ鏡筒で一般に利用されているものと同様の機構が適用されているものとして、その詳細説明は省略する。
【００２９】
第二群ズーム枠６の前面には、シャッタユニット１４がビス１４ｂによって固定支持されるようになっている。シャッタユニット１４は、略円環状に形成されていて、略中央部分に開口１４ａが形成されている。この開口１４ａは、光軸Ｏを中心とする所定範囲の領域に形成されている。開口１４ａの周縁の円環部分には、シャッタ羽根やシャッタ駆動機構等の構成部材が配置されている。このシャッタユニット１４自体の構成についても、その詳細説明は省略する。
【００３０】
そして、本レンズ鏡筒１においては、第二群ズーム枠６の後方に第三群枠８が配置されるようになっている。
【００３１】
図１〜図３に戻って、第二群枠７は、第二群ズーム枠６によって支持されている。この第二群枠７は、ズーミング時には第二群ズーム枠６と共に光軸Ｏに沿う方向に進退駆動される。また、第二群枠７は、沈胴動作時には第二群枠沈胴駆動機構（図示せず）が作用して光軸Ｏ上から退避するように駆動される。この場合において、第二群枠７は、複数又は一枚の光学素子からなる第三群レンズ２３（本実施形態では一枚の光学素子で構成している）を保持するレンズ保持枠である第三群枠８の側方の部位に収納される（図１参照）。
【００３２】
第三群枠８は、固定枠２に支持されており、沈胴動作時やフォーカシング時にはフォーカス駆動モータ１６の駆動力によって光軸Ｏに沿う方向に進退駆動される枠部材である。
【００３３】
この第三群枠８（レンズ保持枠）は、合焦用レンズであり複数又は一枚の光学素子からなる第三群レンズ２３（光学素子）と、この第三群レンズ２３の有効径に対応した絞り開口２５ａを有する板部材からなる絞り部材である絞り板２５を有して構成される。この第三群枠８が本発明のレンズ鏡枠に相当するものである。なお、第三群枠８の詳細構成は後述する（図４，図５参照）。
【００３４】
第四群枠９は、固定枠２により固定支持される枠部材である。この第四群枠９には、第四群レンズ２４が例えば接着剤，両面テープ等を用いて固定保持されている。
【００３５】
固定板１１は、固定枠２の後端面に固着される薄板状部材である。
【００３６】
ＣＣＤベース板１２は、固定枠２に対して固定板１１を介して固定支持されている板状支持部材である。このＣＣＤベース板１２は、撮像素子及びこの撮像素子を撮像面内で移動させる手ぶれ補正機構を含む撮像ユニット１０を光軸Ｏに対して直交する面内にて移動可能に支持するために設けられている。
【００３７】
レンズバリア１３は、当該レンズ鏡筒１の最前面部近傍に配置されていて、非使用状態とされたときに第一群レンズ２１の前面に位置する閉位置と、使用状態とされたときに第一群レンズ２１の前面から退避する開位置との間で移動し得るようになっている。
【００３８】
次に、本レンズ鏡筒１における固定枠２の詳細構成を主に図４，図５によって、また、第三群枠８の詳細構成を主に図４，図６〜図１１によって以下にそれぞれ説明する。
【００３９】
なお、図５においては、固定枠２のうち第三群枠８を支持する第三群枠支持部（凸部）２ｂの内部構成を示すために、該第三群枠支持部（凸部）２ｂの一部を切り欠いて示している。図６は、シャッタユニット１４，第二群ズーム枠６，第三群枠８を図６に対し反時計方向に９０°回転させた場合を示す場合を示している。図７は、第三群枠８をやや前方側から見た場合を示している。図８，図９は、第三群枠８に絞り板２５，第三群レンズ２３を組み込んだ状態の第三群枠８を示している。
【００４０】
図４，図５に示すように、固定枠２の内周面２ａには、光軸Ｏに対して傾斜する方向に形成される傾斜カム溝２ａａと、光軸Ｏに沿う方向に形成され後端面に開口する直進溝２ｉとが形成されている。
【００４１】
また、固定枠の外周面には、第三群枠８を支持するための機構部を収容する第三群枠支持部である凸部２ｂが外方に突出するように設けられている。この凸部２ｂの側方には、フォーカス駆動モータ１６を固定配置するためのフォーカス駆動モータ装着部２ｐが隣接して設けられている。
【００４２】
凸部２ｂは、図５に示すように内方空間部２ｂ０を有している。この空間部２ｂ０は、固定枠２の内周面２ａに連通している。また、凸部２ｂの外面側においては、図４に示すように光軸Ｏに対して直交する面に沿って形成され、該凸部２ｂの前方に向く前方取り付け面２ｍを含む前方壁面部と、該凸部２ｂの後方に向く後方取り付け面２ｎを含む後方側壁面部とを備えている。なお、後方側壁面部の中央部は開放されている。
【００４３】
この凸部２ｂの内方空間部２ｂ０には、第三群枠８の腕部８ａの先端部分と、ガイド軸３３，送りネジ軸３４，ナット３６（図４，図５参照）等が配設されている。なお、ガイド軸３３，送りネジ軸３４，ナット３６は、図４では凸部２ｂの内方空間部２ｂ０の外部に出されて分解した状態を示している。一方、図５では、ガイド軸３３，送りネジ軸３４，ナット３６は、凸部２ｂの内方空間部２ｂ０の内部の所定の部位に配設された状態を示している。
【００４４】
凸部２ｂの前方壁面部には、図５に示すようにガイド軸３３の一端が遊嵌状態で挿通するガイド軸挿通穴２ｃと、後述する送りネジ軸３４の一端を嵌合状態で支持する軸支持穴２ｄと、前方取り付け面２ｍ上のビス穴２ｅ，２ｆ（図４参照。図５では符合２ｅのみが図示される）とが形成されている。
【００４５】
凸部２ｂの後方壁面部には、ガイド軸３３の他端が遊嵌状態で挿通するガイド軸挿通穴（図示せず）と、後述する送りネジ軸３４を嵌合状態で支持する軸支持穴（図示せず）と、後方取り付け面２ｎ上のビス穴２ｊ，２ｋ（図４には符合２ｋのみ，図５には符合２ｊのみが図示される）とが形成されている。
【００４６】
凸部２ｂの前方壁面部には、前ガイド軸支持板３１が所定の位置調整がなされた後に固定される。また、凸部２ｂの後方壁面部には、後ガイド軸支持板３２が同様に所定の位置調整がなされた後に固定される。
【００４７】
即ち、前ガイド軸支持板３１と後ガイド軸支持板３２とは、一対の軸支持板を構成している。そして、前ガイド軸支持板３１は、固定枠２の前方壁面部に対してビス挿通穴３１ａ，３１ｂを挿通させたビス４５，４６によって固定される。また、後ガイド軸支持板３２は、固定枠２の後方壁面部に対してビス挿通穴３２ａ，３２ｂを挿通させたビス４７，４８によって固定される。なお、後ガイド軸支持板３２には、第三群枠８の始点位置検出用のＰＩ（フォトインタラプタ）３８が取り付けられている。また、ビス４８によって後ガイド軸支持板３２を固定枠２の後方壁面部に対して固定する場合において、後ガイド軸支持板３２の後方には固定板１１が挟持された状態でビス締めされるようになっている。
【００４８】
したがって、ビス４８は、ビス穴１１ａ，ビス挿通穴３２ｂを挿通させた後、固定枠２の後方壁面部のビス穴（図示せず）に螺合される。
【００４９】
ガイド軸３３は、第三群枠８の先端部分に形成されているガイド軸穴８ｃに対し回動自在に嵌入している。ガイド軸３３は、第三群枠８を光軸Ｏに沿う方向に進退可能に案内し支持する軸である。ガイド軸３３の両端部には段付き軸部３３ａ，３３ｂが形成されている（図４参照）。
【００５０】
ガイド軸３３の一端は、凸部２ｂの前方壁面部のガイド軸挿通穴２ｃに遊嵌状態で挿通し、前方の段付き軸部３３ａが前ガイド軸支持板３１の軸穴３１ｃに嵌合している。また、ガイド軸３３の他端は、凸部２ｂの後方壁面部のガイド軸挿通穴に遊嵌状態で挿通し、後方の段付き軸部３３ｂが後ガイド軸支持板３２の軸穴３２ｃに嵌合している。このとき、ガイド軸３３の軸方向は、凸部２ｂ内で光軸Ｏに沿う方向に配置される。
【００５１】
なお、ガイド軸３３の後端側においては、第三群枠８の腕部８ａのガイド軸穴８ｃのボス部（後端寄りの面）と後ガイド軸支持板３２の内面との間に、円錐圧縮ばねからなる付勢ばね３７がガイド軸３３に挿通配置されている。この付勢ばね３７は、第三群枠８を前方に向けて付勢している。
【００５２】
送りネジ軸３４の両端は、凸部２ｂの前方壁面部の軸支持穴２ｄと、後ガイド軸支持板３２の軸穴３２ｄとにそれぞれ嵌合している。このとき、送りネジ軸３４の軸方向は、凸部２ｂ内で光軸Ｏに沿う方向に配置される。
【００５３】
送りネジ軸３４にはナット３６が螺合している。このナット３６は、固定枠２の凸部２ｂの内方空間部２ｂ０の内部に形成される回転止め部（図示せず）に係合して回転が規制されている。したがって、送りネジ軸３４が回転すると、該送りネジ軸３４の軸方向、即ち光軸Ｏに沿う方向に進退移動するようになっている。
【００５４】
また、送りネジ軸３４には、第三群枠８の先端部分に形成されている送りネジ軸挿通穴８ｄが挿通している。そして、送りネジ軸３４の後端部には、駆動用ギアー３５が固着されている。この駆動用ギアー３５には、ギアー４１及びモータピニオン１６ａを介してフォーカス駆動モータ１６の回転駆動力が伝達されるようになっている。これにより、フォーカス駆動モータ１６が回転駆動されると、その回転駆動力は、モータピニオン１６ａ，ギアー４１を介して駆動用ギアー３５に伝達されて、送りネジ軸３４を回転駆動させるようになっている。送りネジ軸３４が回転すると、ナット３６が光軸Ｏ方向に移動し、このナット３６に当接する第三群枠８を光軸Ｏに沿う方向に進退駆動するようになっている。
【００５５】
フォーカス駆動モータ１６は、例えばパルスモータ等が適用される。フォーカス駆動モータ１６の出力軸にはモータピニオン１６ａが固着されている。
【００５６】
このフォーカス駆動モータ１６は、固定枠２のモータ装着部２ｐに対してピニオン挿通穴２ｇに挿通させた状態で取り付けられるようになっている。この場合において、フォーカス駆動モータ１６の固定は、モータ装着部２ｐのビス挿通穴２ｈを挿通させたビス４９がフォーカス駆動モータ１６の支持板のビス穴（図示せず）に螺合することでなされる。
【００５７】
一方、図４，図６〜図７等に示すように、第三群枠８は、円環状の一部を切り欠いて形成される枠部材である。この第三群枠８は、略中央部分に穿設され略矩形状若しくは略楕円形状に形成され該第三群枠８に保持される光学素子である第三群レンズ２３の外周を囲むように形成される中央開口８ｆと、光軸Ｏに対し直交する面に沿う方向であって枠外方の径方向に延出するように形成される腕部８ａと、この腕部８ａとは異なる枠外方の径方向に延出するように形成されるガイド突起８ｂとを有する枠状の部材である。
【００５８】
第三群枠８の腕部８ａの先端部には、光軸Ｏに対し平行方向に向けて開口するガイド軸穴８ｃと、同方向に開口する送りネジ軸挿通穴８ｄと、この送りネジ軸挿通穴８ｄの近傍より外方に向けて突設されるＰＩ遮蔽部８ｅとが形成されている。このＰＩ遮蔽部８ｅは、後ガイド軸支持板３２に固設されるＰＩ３８に作用するようになっている。
【００５９】
絞り板２５は、黒色表面処理を施した薄板状の金属製または樹脂製（例えばポリエステルシート等）の板部材を用いて形成されている。絞り板２５の略中央部分に略矩形状の絞り開口２５ａが形成されている。この絞り開口２５ａは、第三群枠８に保持される光学素子である第三群レンズ２３の有効径に対応した大きさ（面積）となるように設定されている。つまり、絞り板２５は、撮影光学系に入射する光束を規制する絞り部材として機能する。
【００６０】
そして、絞り板２５は、第三群枠８の中央開口８ｆの略中央部分に配置された状態で、その周縁部が第三群枠８の中央開口８ｆの周縁に対して例えば接着剤等の固定手段を用いて固定される。
【００６１】
そのために、第三群枠８の前方側（図６で示される側）には、中央開口８ｆの周縁の一部を覆い、かつ該中央開口８ｆの周囲の一部に開口内へ一部が露呈するように庇状に形成される一対の張り出し部８ｇが設けられている。このとき、張り出し部８ｇと第三群枠８の前方側の中央開口８ｆの周縁面との間は若干の隙間８ｈが生じるように形成されている。この隙間８ｈに対して絞り板２５は、図６，図７に示す矢印Ｘの方向、即ち第三群レンズ２３の光軸Ｏに対して直交する方向に挿入されるようになっている。これにより、絞り板２５は、第三群枠８の中央開口８ｆの周縁の一部と張り出し部８ｇとの間に挟持された形態で、第三群枠８の所定部位に配設される。
【００６２】
このようにして、絞り板２５が第三群枠８の所定の部位に配置された状態では、図８〜図１１に示すように、張り出し部８ｇには、絞り板２５の絞り開口２５ａの周縁の一部が光軸Ｏ方向から載置される状態となる。したがって、この状態において絞り板２５は、第三群枠８に対し光軸Ｏ方向に支持されるようになる。
【００６３】
この状態において、第三群レンズ２３（光学素子）は、第三群枠８の中央開口８ｆに対して図６，図７に示す矢印Ｚ方向、即ち後方から光軸Ｏに沿う方向に配設される。このとき、第三群レンズ２３の外周縁部は、張り出し部８ｇで支えられた絞り板２５の開口縁部（図８〜図１１において符合Ａ２，Ａ３で示す部位）と、張り出し部８ｇによる支えのない部分における絞り板２５の開口縁部（図８〜図１１において符合Ａ１及び符合Ｂ１，Ｂ２，Ａ４で示す部位）とにおいて胴付きとなっている。そして、第三群レンズ２３は、絞り板２５を介して第三群枠８に対して、例えば図８〜図１１の符合Ａ１，Ａ２，Ａ３，Ａ４で示す胴付き部位で接着剤等の固定手段を用いて固定支持される。
【００６４】
第三群枠８においては、第二群レンズ２２を保持する第二群枠７の退避空間を確保するために、特に図８〜図１１の符合Ｃで示す部位、即ち絞り部材２５の開口縁部近傍の部位が切り欠いて形成されている。この切り欠き部分は、従来構造のレンズ鏡筒においては、第三群レンズ２３を支持する部位となっている。しかしながら、本発明のレンズ鏡枠（第三群枠８）においては、同部位（符合Ｃで示す）に、絞り板２５の絞り開口２５ａの縁部が配置されるように構成している。つまり、第三群枠８の一部には、上記切欠空間部Ｃがあるため、これに隣接して中央開口８ｆの周縁である一部に細い梁が渡されている形態の梁状部８ｉが形成されている。従って、梁状部８ｉは、絞り板２５の一部分２５ｂを光軸Ｏ方向に支えている状態となる。そして、さらに一部分２５ｂは、第三群レンズ２３の周縁の一部を光軸Ｏ方向に支えていることになる。この光軸Ｏに直交する平面において、梁状部８ｉと第三群レンズ２３の周縁は重なりあっていない。言い換えれば、第三群枠８の中央開口８ｆは、絞り板２５を梁状部８ｉを含んだ周縁で支え、梁状部８ｉにより支えられた絞り板２５の一部分２５ｂを含んだこの絞り板２５の開口全周をもって、第三群レンズ２３の全周を支持するようになっている。これにより、第二群枠７が退避したとき、該第二群枠７は、第三群枠８を切り欠いて形成される当該退避空間に配置される。つまり、退避位置にある第二群枠７は、第三群枠８の張り出し部８ｇ無い部位であって絞り部材２５の開口縁部に隣接するように配置される。
【００６５】
これにより、鏡枠の一部が切り欠かれこの鏡枠に保持されるべきレンズ周縁の一部がこの切り欠きのために支持できなくとも、このレンズ鏡枠の代わりに板状の絞り部材によりレンズ周縁の一部を支持することができる。
【００６６】
次に、本実施形態のレンズ鏡筒１を沈胴状態から撮影準備状態（ワイド状態）へと繰り出した後、さらにズーミングを行ったときの各レンズ群の進退位置について、図１２，図１３を用いて以下に簡単に説明する。
【００６７】
図１２，図１３は、上記レンズ鏡筒１の各レンズ群がズーミングに伴って光軸Ｏに沿う方向に移動した場合の位置を示している。このうち、図１２はワイド状態を、図１３はテレ状態を、それぞれ示している。
【００６８】
レンズ鏡筒１が沈胴状態にあるときは、カム枠３，フロートキー４，第一群枠５は、共に固定枠２の内部に殆ど収容された沈胴位置に繰り込まれている（図１参照）。このとき第二群枠７は、繰り込み位置にある第三群枠８の側方の退避位置、即ち光軸Ｏに対して直行する方向の位置に配置されている。このように、レンズ鏡筒１が沈胴状態にあるときには、第二群枠７が光軸Ｏから退避した退避位置に配置されるようになっているので、レンズ鏡筒１は、極めて短縮化された状態になっている。このとき、第二群枠７が第三群枠８の側方、即ち第三群枠８の切欠部位Ｃの空間部位に位置している。
【００６９】
この状態において、沈胴状態から撮影準備状態へと切り換えるための操作がなされると、レンズ鏡筒１は、撮影準備状態におけるワイド状態へと移行する。このときの動作としては、ズーム駆動モータ（図示せず）によってカム枠３が回転駆動される。すると、カム枠３はフロートキー４と共に撮影準備状態におけるワイド状態へと繰り出される。これと同時に、第一群枠５は、カム枠３よりもさらに前方に繰り出されワイド位置に配置される。
【００７０】
また、第二群ズーム枠６もワイド位置に繰り出される。この第二群ズーム枠６の繰り出し動作に連動して、第二群枠７は、光軸Ｏと平行に設けられる軸部材（図示せず）を回動中心として回動しながら光軸Ｏに直交する面内で移動する。これにより、第二群枠７に保持される第二群レンズ２２の中心が、本レンズ鏡筒１の撮影光学系の光軸Ｏに合致する所定の位置に配置される（図２も参照）。
【００７１】
また、第三群枠８は、フォーカス駆動モータ１６によって被写体距離、例えば無限遠に合焦する位置まで繰り出される。
【００７２】
このときの状態がワイド状態であり、撮像素子の光電変換面Ｉｐ（結像位置）に対する各レンズ群の位置は、図１２に示す通りである。
【００７３】
続いて、このワイド状態において所定のズーミング操作がなされて、テレ状態への切り換え駆動が実行されると、カム枠３は、回転駆動されて光軸Ｏに沿う方向において前方へと移動する。これにより第一群枠５は、さらに前方へと移動して最終的にテレ状態の所定の位置まで繰り出される。また、第二群ズーム枠６も繰り出されて、第二群枠７が所定のテレ状態の位置に移動する（図３も参照）。
【００７４】
なお、第三群枠８は、所定の合焦動作が実行されてフォーカス駆動モータ１６によって被写体距離に合焦する位置に進退移動する。
【００７５】
このときの状態がテレ状態であり、撮像素子の光電変換面Ｉｐ（結像位置）に対する各レンズ群の位置は、図１３に示す通りである。
【００７６】
以上説明したように上記一実施形態によれば、第三群レンズ２３（光学素子）と、この第三群レンズ２３の有効径に対応した絞り開口２５ａを有する絞り板２５（絞り部材）と、レンズ保持枠である第三群枠８からなるレンズ鏡枠においては、中央開口８ｆの周囲の一部に開口内への張り出し部８ｇを設け、この張り出し部８ｇによって絞り板２５の絞り開口２５ａの縁部を光軸Ｏに沿う方向に支持すると共に、第三群レンズ２３を張り出し部８ｇで支えられた絞り板２５の絞り開口２５ａの縁部と、張り出し部８ｇによる支えのない部分における絞り板２５の絞り開口２５ａの縁部において胴付きとし、これらの部位で第三群レンズ２３は第三群枠８に接着固定されるようにしている。
【００７７】
したがって、これにより、該レンズ鏡筒１を沈胴状態とした場合における退避用光学素子である第二群レンズ２２を保持する第二群枠７の退避空間を充分に確保し、レンズ鏡筒１の機能や性能を劣化させることなく確実に確保することができると同時に、レンズ鏡筒のさらなる小型化及び薄型化に寄与することができる。
【００７８】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【符号の説明】
【００７９】
１……レンズ鏡筒
２……固定枠
３……カム枠
４……フロートキー
５……第一群枠
６……第二群ズーム枠
７……第二群枠
８……第三群枠
８ｆ……中央開口
８ｇ……張り出し部
８ｈ……隙間
９……第四群枠
１０……撮像ユニット
１４……シャッタユニット
１６……フォーカス駆動モータ
２１……第一群レンズ
２２……第二群レンズ
２３……第三群レンズ
２４……第四群レンズ
２５……絞り板
２５ａ……絞り開口
【図１】
2010217747.tif 000003
【図２】
2010217747.tif 000004
【図３】
2010217747.tif 000005
【図４】
2010217747.tif 000006
【図５】
2010217747.tif 000007
【図６】
2010217747.tif 000008
【図７】
2010217747.tif 000009
【図８】
2010217747.tif 000010
【図９】
2010217747.tif 000011
【図１０】
2010217747.tif 000012
【図１１】
2010217747.tif 000013
【図１２】
2010217747.tif 000014
【図１３】
2010217747.tif 000015